(57)【要約】【課題】既製の布地又は編地からなる繊維製品に後付けで好みの点字等を形成し、かつ、該点字等にデザイン性を持たせている。また、視覚障害者等が認識可能な点字地図を提供する。【解決手段】所要の視覚障害者識別子や点字を設けたい布地又は編地からなる繊維製品の任意の表面に、粒形状の石、ガラス、金属或いは耐熱性剛性樹脂からなると共に裏面に接着材が塗布されているアクセサリー材兼点字材となる粒状材を所要間隔をあけて載置し、ハンド型超音波溶着機の先端を上記粒状材に押し当て、或いはアイロンを上記粒状材に押し当てて、上記接着材を溶融させ、上記粒状材を布地又は編地からなる繊維製品の表面に固着している。【選択図】　図４
2004027412.tif 000002
【特許請求の範囲】
【請求項１】
アクセサリー材兼点字材となる石、ガラス、金属或いは耐熱性剛性樹脂からなる粒状材が、所要の視覚障害者識別子や点字となるように、間隔をあけて、布地又は編地の繊維製品の任意の表面に後付けで固着されていることを特徴とする繊維製品。
【請求項２】
上記粒状材の裏面に予め接着剤が塗布されており、該接着剤が超音波振動あるいは加熱で溶融されて上記繊維製品に上記粒状材が固着されている請求項１に記載の繊維製品。
【請求項３】
上記粒状材の石は宝石からなると共にガラス、金属および耐熱性剛性樹脂は多面体として光沢性を付与しており、
上記粒状材に裏面に塗布される接着剤はポリアミド系接着剤からなり、また、上記布地又は編地からなる繊維製品はハンカチ、ポシェット、スカーフ等の手回り繊維製品や衣類等からなる既製繊維製品からなり、該繊維製品の表面に上記粒状材が点字として固着された場合にもアクセサリー的外観が付与されている請求項１または請求項２に記載の繊維製品。
【請求項４】
観光地や遊園地内の案内地図、売り場地図、路線地図等の点字地図からなる布地又は編地の繊維製品であって、布地又は編地の表面に、路線部として線状突起材あるいは粒状材を線状に固着している一方、該路線部に沿った所要位置に上記粒状材からなる点字を付していることを特徴とする繊維製品。
【請求項５】
上記布地又は編地の色彩、路線部の色彩、粒状材の色彩を、色弱者や色盲者にとって区別して認識しえる色彩としている請求項４に記載の繊維製品。
【請求項６】
観光地や遊園地内の案内地図、売り場地図、路線地図等の点字地図からなる布地又は編地の繊維製品であって、布地又は編地の表面に路線部を表示すると共に該路線部に沿った所要位置の表示を設け、
上記布地又は編地の色彩、路線部の色彩、位置表示の色彩を、色弱者や色盲者にとって区別して認識しえる色彩としていることを特徴とする繊維製品。
【請求項７】
石、ガラス、金属或いは耐熱性剛性樹脂からなると共に裏面に接着剤が塗布されているアクセサリー材兼点字材の粒状材と、
上記粒状材を布地又は編地からなる繊維製品に固着するためのパーソナル用のハンド型超音波溶着機とを備えている粒状材を備えた点字表示用の繊維製品の製造セット。
【請求項８】
所要の視覚障害者識別子や点字を設けたい布地又は編地の繊維製品の任意の表面に、粒形状の石、ガラス、金属或いは耐熱性剛性樹脂からなると共に裏面に接着材が塗布されているアクセサリー材兼点字材となる粒状材を所要間隔をあけて載置し、
ハンド型超音波溶着機の先端を上記粒状材に押し当て、或いはアイロンを上記粒状材に押し当てて、上記接着材を溶融させ、上記粒状材を上記繊維製品の表面に固着している粒状材を備えた繊維製品の製造方法。
【発明の詳細な説明】
【０００１】
【発明が属する技術分野】
本発明は、布地又は編地からなる繊維製品、該繊維製品の製造セットおよび製造方法に関し、詳しくは、アクセサリー材料の粒状材を視覚障害者識別子や点字となるように繊維製品に後付けで固着するものおよび粒状材等により点字地図とするものである。
【０００２】
【従来の技術】
近時、視覚障害者が手で触れることにより認識できる点字や識別子を付した商品が数多く提供されている。その商品の多くが硬質の樹脂製品、金属製品あるいは紙製品であり、プレス成形により点字状に突起を形成する方法や点字状に突起を形成したシートを製品に貼付する方法が主である。
これに対し、衣類等の布地又は編地からなる繊維製品は軟質であるため、プレスにより突起を形成することができず、また、上記シートを貼付する場合、布地又は編地からなる繊維製品は形状が変化するのでシートが剥がれ易く、さらに、着心地が悪くなる等使用上の問題がある。
【０００３】
そこで、特開２００１−２００４０４号において、図７に示す点字入りの衣類１が提供されている。これは、図７（Ｂ）に示すように、転写ラベル３を衣類１に載置し、該転写ラベル３の上からアイロンにより加熱した後、転写ラベル３を剥がして所要の短繊維４を衣類に固着して点字２を形成するものである。上記点字入りの衣類１であると、軟質の衣類等にも点字を形成することができ、視覚障害者に情報を提供することができると共に、シートを貼付していないので使用上邪魔になることもない。また、転写ラベル３さえあれば既製品の衣類等にも点字２を形成することができる。
【０００４】
【発明が解決しようとする課題】
しかしながら、上記点字入りの衣類１であると、点字入りであることが外観上一目でわかり、点字がアクセサリー的なものとならない。視覚障害者にとっては、一目で点字と外観認識されるものよりも、点字であることが外観上一目でわからず、点状のアクセサリー的な外観を与えるものであることが好ましいという要望がある。
また、既製品の衣類等に点字を入れることもできるが、予め用意された転写ラベル３通りの点字しか入れることができず、利用者の好みに応じた点字を入れることができないと共に剥がれやすい問題もある。
さらに、　従来、　上記ラベルを熱転写する以外に繊維製品に点字を付する場合、　繊維を作成する段階で点字となる部分を繊維を突出させ、　或いは樹脂加工で突出させて点字を形成しており、　繊維を縫製して製品となった後段階で任意の位置に点字を付すことは出来ない構成となっている。　よって、　ユーザーの要望に応じて任意の位置に任意の点字を付すことができない問題がある。
【０００５】
本発明は上記問題に鑑みてなされたものであり、既製の布地又は編地からなる繊維製品に後付けで好みの点字を形成することができると共に、該点字にデザイン性を持たせ、外観上はアクセサリーが取り付けられているようにすることを課題としている。
さらに、同様の方法により作製される視覚障害者が認識可能な点字地図を提供することも課題としている。
【０００６】
【課題を解決するための手段】
上記課題を解決するため、本発明は、第１に、アクセサリー材兼点字材となる石、ガラス、金属或いは耐熱性剛性樹脂からなる粒状材が、所要の視覚障害者識別子や点字となるように、間隔をあけて布地又は編地の繊維製品の任意の表面に後付けで固着されていることを特徴とする繊維製品を提供している。
【０００７】
上記構成とすると、好みに応じて既製の繊維製品の任意の箇所に粒状材を後付けでユーザー自身あるいは店頭で取り付けてもらって、独自の繊維製品とすることができる。
また、上記粒状材を衣服の所要箇所に固着することにより、視覚障害者が衣服を着るときに、衣服に固着した粒状材に触れるだけで衣服の裏表及び前後を認識することができ、裏表及び前後を間違えることなく衣服を容易に着ることができる。さらに、上記粒状材により点字を形成すれば、所要の情報を表示することができる。例えば、点字により自分の名前を入れておくことで、容易に繊維製品の持ち主を判別することができる。
【０００８】
なお、上記粒状材により点字を形成する場合には、点字を認識しやすくするよう、字間を３ｍｍとするのが好ましい。
【０００９】
上記粒状材の裏面に予め接着剤が塗布されており、該接着剤が超音波振動あるいは加熱で溶融されて上記繊維製品に上記粒状材が固着されている。
上記構成とすると、超音波振動あるいは加熱により接着剤が繊維製品の繊維間に浸透して、粒状材を繊維製品に確実に固着することができる。よって、繊維製品を洗濯等しても粒状材が容易に取れることがない。
【００１０】
上記粒状材の石は宝石からなると共にガラス、金属および耐熱性剛性樹脂は多面体として光沢性を付与していることが好ましい。
上記構成とすると、粒状材に光沢性を付与してファッション性を高めているため、粒状材を点字として繊維製品に固着しているにもかかわらず、他者からはアクセサリーであると認識されるものとすることができる。
なお、必ずしも光沢を与える必要はなく、無光沢、半光沢でもよい。
【００１１】
また、上記粒状材の裏面に塗布される接着剤としては、接着強度を高めることが出来る点で、ポリアミド系接着剤が好ましい。
また、上記布地又は編地の繊維製品はハンカチ、ポシェット、スカーフ等の手回り繊維製品や衣類等からなる既製繊維製品からなり、該繊維製品の表面に上記粒状材が点字として固着された場合にもアクセサリー的外観が付与されている。
【００１２】
本発明は、第２に、観光地や遊園地内の案内地図、売り場地図、路線地図等の点字地図からなる布地又は編地の繊維製品であって、布地又は編地の表面に、路線部として線状突起材あるいは粒状材を線状に固着している一方、該路線部に沿った所要位置に上記粒状材からなる点字を付していることを特徴とする繊維製品を提供している。
【００１３】
上記点字を付した繊維製品であれば、路線部を線状突起材あるいは粒状材で形成し、所要箇所に粒状材により点字を形成して位置表示としているため、視覚障害者が手で触れることで地図を認識することができる。
【００１４】
上記布地又は編地の色彩、路線部の色彩、粒状材の色彩を、色弱者や色盲者にとって区別して認識しえる色彩としている。
上記構成とすると、視覚障害者のみならず、特定の色を判別できない色弱者や色盲者も上記点字地図からなる繊維製品を利用することができる。
例えば、赤色またはこれに類する色の使用を避けるのが好ましく、白色の布地に黒色の路線部、粒状材、または、緑色の布地に白色の路線部、粒状材とするのが好ましい。
【００１５】
本発明は、第３に、観光地や遊園地内の案内地図、売り場地図、路線地図等の点字地図からなる布地または編地の繊維製品であって、布表面に路線部を表示すると共に該路線部に沿った所要位置の表示を設け、
上記布地又は編地の色彩、路線部の色彩、位置表示の色彩を、色弱者や色盲者にとって区別して認識しえる色彩としている繊維製品を提供している。
【００１６】
上記構成とすると、布地の色彩、路線部の色彩、位置表示の色彩を、色弱者や色盲者にとって区別して認識しえる色彩としているため、色弱者や色盲者が上記点字地図からなる繊維製品を地図として利用することができる。
【００１７】
さらに、本発明は第４に、石、ガラス、金属或いは耐熱性剛性樹脂からなると共に裏面に接着剤が塗布されているアクセサリー材兼点字材の粒状材と、
上記粒状材を繊維製品に固着するためのパーソナル用のハンド型超音波溶着機とを備えている粒状材を備えた点字表示用布地又は編地からなる繊維製品の製造セットを提供している。
【００１８】
上記製造セットを用いると、ユーザーが家庭において、簡単に、既製品の繊維製品に好みに応じて容易に粒状材を固着することができる。
また、繊維製品を販売する店頭に上記製造セットを保持しておくと、購入時のサービスとして点字あるいは識別子を付することができる。
さらに、点字にかぎらず、ユーザーの好みのデザインの表示を粒状材で付すサービスを提供することができる。
【００１９】
なお、上記粒状材はシートに並列に仮固着されていると共に、これら粒状材の高さは少なくとも０．３５ｍｍ以上、径は１．２ｍｍ以上として点字材の規格に適合させていることが好ましい。
このように、粒状材の高さを少なくとも０．３５ｍｍ以上、径を１．２ｍｍ以上として点字材の規格に適合させておくと、所要の模様を粒状材と付する時も点字として付す時も、粒状材を共用して用いることができる。
また、シートに仮固着しておくと、粒状材がバラバラとならず、使い勝手がよくなる。
【００２０】
また、本発明は、第５に、所要の視覚障害者識別子や点字を設けたい布地又は編地の繊維製品の任意の表面に、粒形状の石、ガラス、金属或いは耐熱性剛性樹脂からなると共に裏面に接着材が塗布されているアクセサリー材兼点字材となる粒状材を所要間隔をあけて載置し、
ハンド型超音波溶着機の先端を上記粒状材に押し当て、或いはアイロンを上記粒状材に押し当てて、上記接着材を溶融させ、上記繊維製品の表面に固着している粒状材を備えた繊維製品の製造方法を提供している。
【００２１】
上記方法によれば、誰でも容易に粒状材を繊維製品の任意の箇所に固着することができる。よって、必要な点字を所要の布製品の任意の位置に簡単に設けることができ、視覚障害者にとって非常に有効なものとなる。
【００２２】
【発明の実施の形態】
以下、本発明の実施の形態を図面を参照して説明する。
図１乃至図４は、本発明の第１実施形態を示し、布製の衣服１０は既製品である。この衣服１０の襟首１０ａ付近の位置には、複数の粒状石２０を任意の配列で後付けにより固着し、点字を形成している。図１の実施形態の点字は「ナガオ」の文字からなる。
【００２３】
上記粒状石２０は多面体としており、図２に示すように、正十二角形の表面２０ａと該表面２０ａから裏面２０ｂに向けて傾斜する斜面２０ｃからなり、光を当てると様々に光沢する構成としている。また、裏面２０ｂにはポリアミド系の接着剤２０ｄを塗布しており、この接着剤２０ｄは超音波振動あるいは加熱により溶融し、布地または編地からなる衣服１０に固着させている。
また、粒状石２０は高さＨを０．３５ｍｍとしており、点字材の規格（０．３ｍｍ以上）に適合させている。
【００２４】
図３は、パーソナル用のハンド型超音波溶着機３０を示し、手で保持する保持部３０ａの上端に設けたボタン３０ｂを押すと、下端部３０ｃが超音波振動を起こす構成としている。
【００２５】
次に、上記粒状石２０の衣服１０への固着方法について説明する。
まず、粒状石２０を衣服１０の固着したい箇所に載置する。このとき、粒状石２０の裏面２０ｂに塗布した接着剤２０ｄが衣服１０の表面に当接するように載置している。
次に、図４（Ａ）に示すように、衣服１０上に載置した粒状石２０の表面２０ａに上記ハンド型超音波溶着機３０の先端部３０ｃを押し当て、ボタン３０ｂを押して超音波振動を起こす。この超音波振動により粒状石２０の裏面２０ｂに塗布した接着剤２０ｄが溶融し、衣服１０の繊維の隙間に浸透していく。接着剤２０ｄが繊維の隙間に浸透した後、ハンド型超音波溶着機３０を粒状石２０から離し、溶融した接着剤２０ｄを硬化させる。これにより、粒状石２０を衣服１０に固着することができる。
【００２６】
上記構成とすると、好みに応じて既製品の衣服１０の任意の箇所に粒状石２０を固着することができる。
例えば、本実施形態においては、図１に示すように、衣服１０の襟首１０ａ付近に粒状石２０を固着しており、視覚障害者が衣服１０を着るときに、粒状石２０に触れるだけで衣服１０の裏表及び前後を認識することができ、裏表及び前後を間違えることなく衣服１０を容易に着ることができる。さらに、粒状石２０により点字を形成し、点字により自分の名前を入れておけば、容易に衣服１０の持ち主を判別することができる。
【００２７】
また、上記粒状石２０は多面体とし、様々に光沢するようにしているため、視覚障害者識別子または点字として固着した粒状石２０がアクセサリーとしての効果を有することになる。
【００２８】
なお、点字材として使用した石の代わりにガラス、金属、耐熱性剛性樹脂等の粒状材を用いることもできる。
上記粒状材は光沢を有する多面体に限らず、つや消しを施した無光沢のものでもよく、また、表面が円弧形状のものでもよい。
また、上記石を固着する対象は衣服に限らず、布地又は編地からなる繊維製品であれば何でもよく、例えば、ハンカチ、ポシェット、スカーフ、タオル等の布地又は編地からなる手回り繊維製品に好適に用いることができる。
【００２９】
図５は、本発明の第２実施形態を示し、点字地図４０は白色の布地４１に路線部４２及び点字石４３を固着したものである。
路線部４２は黒色のシリコン樹脂を線上に設けたものであり、このシリコン樹脂を地図を作製する観光地の路線に模して、布地４１に発泡プリントにより設けている。
【００３０】
上記点字石４３は、上記第１実施形態で使用した粒状石２０と同様のものであり、本実施形態においては黒色のものを使用している。この点字石４３を上記路線部４２に沿った所要位置に配列して点字を形成し、駅や温泉等の位置表示としている。
また、点字石４３の固着方法は、上記第１実施形態と同様、ハンド型超音波溶着機３０を用いて行っている。
【００３１】
上記構成とすると、路線部４２をシリコン樹脂からなる線状突起材により形成すると共に、駅や温泉等の位置表示を点字石４３により点字を形成して説明しているため、視覚障害者が手で触れることで観光地の場所を認識することができる。
また、例えば、布地４１を白色とする一方、路線部４２及び点字石４３を黒色としているため、特定の色を判別できない色弱者や色盲者が路線部４２に触れることなく路線部４２及び点字石４３を配列している位置を容易に認識することができる。
【００３２】
なお、路線部４２は線状のシリコン樹脂に限らず、上記点字石４３を線状に配列して路線部としてもよいし、点字を形成する点字材は点字石４３に限らず、ガラス、金属、あるいは耐熱性剛性樹脂でもよい。
また、布地又は編地、シリコン樹脂、粒状材の色の組み合わせは白色と黒色に限らず、色弱者や色盲者にとって判別しやすい白色と緑色の組み合わせでもよい。また、色弱者や色盲者にとって判別し難い緑色と赤色、ピンク色と灰色の組み合わせは避けることが好ましい。
また、上記点字地図は観光地の案内地図に限らず、遊園地内、ホテル、美術館等の案内地図、スーパー、百貨店等の売り場地図、地下鉄や市バスの路線地図とすることもできる。
【００３３】
図６は、本発明の第３実施形態を示し、地図５０は白色の布地５１に線状の路線部５１ａを染色により設けると共に、駅や温泉等の位置表示５１ｂを黒色の染色により文字で設けている。
【００３４】
上記構成とすると、布地５１を白色とし、路線部５１ａ及び位置表示５１ｂを黒色で表示しているため、色弱者や色盲者にとって非常に見やすく、容易に地図を読み取ることができる。
【００３５】
【発明の効果】
以上の説明より明らかなように、本発明によれば、既製の布地又は編地からなる繊維製品に後付けで好みの視覚障害者識別子や点字を入れることができる。また、点字に使用する石、ガラス等の粒状材は多面体として光沢を持たせた場合には、他者に外観上アクセサリーであると認識させることができる。
【００３６】
また、パーソナル用のハンド型超音波溶着機を上記粒状材に押し当てて固着するだけであるので、誰でも容易に粒状材を布地又は編地からなる繊維製品に固着することができる。
【００３７】
さらに、上記粒状材及び突起材により作製した地図であると、視覚障害者が容易に地図を読み取ることができ、また、布地、路線部、粒状材の色彩を色弱者や色盲者にとって区別し易い色彩とすることにより、色弱者や色盲者が認識できる地図とすることができる。
【図面の簡単な説明】
【図１】（Ａ）は粒状石を固着した衣服の正面図、（Ｂ）は粒状石を固着した箇所の要部拡大図である。
【図２】（Ａ）は石の斜視図、（Ｂ）は正面図である。
【図３】パーソナル用のハンド型超音波溶着機を示す斜視図である。
【図４】（Ａ）は粒状石の衣服への固着方法を示す図面、（Ｂ）は固着後の図面である。
【図５】本発明の第２実施形態に係る点字地図の布地又は編地からなる繊維製品である。
【図６】本発明の第３実施形態に係る地図の布地又は編地からなる繊維製品である。
【図７】従来例を示す図面であり、（Ａ）は点字入りの衣類、（Ｂ）は点字の形成方法を示す断面図である。
【符号の説明】
１０　衣服
２０　粒状石
２０ａ　表面
２０ｂ　裏面
２０ｃ　斜面
２０ｄ　接着剤
３０　ハンド型超音波溶着機
３０ａ　保持部
３０ｂ　ボタン
３０ｃ　先端部
４０　点字地図
４１、５１　布地
４２、５１ａ　路線部
４３、５１ｂ　位置表示
５０　地図
【図１】
2004027412.tif 000003
【図２】
2004027412.tif 000004
【図３】
2004027412.tif 000005
【図４】
2004027412.tif 000006
【図５】
2004027412.tif 000007
【図６】
2004027412.tif 000008
【図７】
2004027412.tif 000009